(57)【要約】      （修正有）【課題】冷蔵庫の蒸発皿表面を通過する風速を上げることで蒸発皿をコンパク化し、貯蔵室の容積効率を上げることが出来る冷蔵庫を提供する。【解決手段】冷蔵庫本体１０１下部の除霜水蒸発装置１１３は除霜水１１４を集水する蒸発皿１０３と、蒸発皿１０３を密閉化する蓋部材２０１と、蓋部材２０１で構成される第一開口部２０２と、第二開口部２０３とを設け、第一開口部２０２に送風手段２０４と、蒸発皿１０３内に除霜水加熱手段１０５としての冷却システムの一部となる高圧配管である浸漬パイプ２０６を設け、強制的に対流させつつ水温を上昇させることにより、除霜水蒸発装置を大幅にコンパクトと簡素化する。【選択図】図２
2007309616.tif 000002
【特許請求の範囲】
【請求項１】
冷蔵庫本体下部に除霜水蒸発装置を設け、前記除霜水蒸発装置の上方に蒸発器と前記蒸発器の除霜水を導く排水経路とを設け、前記除霜水蒸発装置は除霜水を集水する蒸発皿と、前記蒸発皿の上面を覆う蓋部材と、前記蓋部材に第一開口部と第二開口部とを設け、前記第一開口部に送風手段を備えるとともに、前記蒸発皿内に除霜水を加熱するための加熱手段を設け、前記第一開口部と第二開口部の間で風路を構成し、強制的に対流させつつ水温を前記加熱手段により上昇させることを特徴とする冷蔵庫。
【請求項２】
前記加熱手段は冷却システムの一部を構成する高圧配管を用いた浸漬パイプであり、前記浸漬パイプはＵターン構成とし，前記浸漬パイプ入口部と出口部を揃えて第二開口部より蒸発皿内部へ配設したことを特徴とする請求項１に記載の冷蔵庫。
【請求項３】
前記浸漬パイプは前記蒸発皿の底面近傍に配置することを特徴とする請求項２に記載の冷蔵庫。
【請求項４】
前記浸漬パイプは前記蒸発皿の底面に形成された保持部で固定することを特徴とする請求項２または３に記載の冷蔵庫。
【請求項５】
前記浸漬パイプを螺旋形状とすることを特徴とする請求項２から４のいずれか一項に記載の冷蔵庫。
【請求項６】
前記浸漬パイプは圧縮機吐出近傍配管を除いた配管を用いることを特徴とする請求項２から５のいずれか一項に記載の冷蔵庫。
【発明の詳細な説明】
【技術分野】
【０００１】
本発明は、除霜水の蒸発装置及び冷蔵庫に関するものである。
【背景技術】
【０００２】
近年、冷蔵庫は地球環境保護の観点から更なる省エネルギー化が進むとともに、小さく置けて大きく使える、いわば省スペースで大容量、さらにその使い勝手や収納性の向上が求められている。最近では冷蔵庫機械室に配設する圧縮機を冷蔵庫上部の消費者から見れば冷蔵室のデッドスペースとなる部位へ配設し、冷蔵庫本体下部の貯蔵室容量を大容量化させた冷蔵庫が存在する。冷蔵庫は庫内貯蔵室を冷却するため必ず庫内空気を冷却する際に生じる除霜水を一旦冷蔵庫本体下部へ排水経路を通じ導き集水し消費者がメンテナンスフリーにするため集水した除霜水を蒸発させる機構が必要となる。現在この除霜水蒸発装置は冷蔵庫本体下部で無効容積として存在するため省スペースで大容量及びさらにその使い勝手や収納性の向上の観点からこの除霜水蒸発装置のコンパクト化が急務である。
【０００３】
従来、この種の冷蔵庫の除霜水の蒸発方式は、発熱部品の冷却または放熱と共に得られる熱を蒸発皿に貯められた除霜水を蒸発させるために利用する方式を採用している（熱源については様々な方法があり、例えば直接的に除霜水を加熱する場合もある）。
【０００４】
図１２は、特許文献１に記載された従来の冷蔵庫を示すものである。図１２に示すように、冷蔵庫本体１０１の上側に設けられ、冷凍サイクルが収納された冷凍サイクル収納部１０２と、冷蔵庫本体１０１の下部に設けられた蒸発皿１０３と、冷蔵庫本体１０１に設けられ、冷凍サイクル収納部１０２の横には蒸発器１０４と蒸発器１０４の表面の霜を取り除く熱源手段１０５が設けられている。熱源手段１０５が加熱する際滴下する除霜水を蒸発皿１０３に供給する水通路１０６と、冷凍サイクル収納部１０２に外気を吸引することに伴い、冷凍サイクルの発熱部品により外気を加熱して温風化するファン装置１０７と、冷蔵庫本体１０１に設けられ、ファン装置１０７から吐出された温風を蒸発皿１０３に供給するダクト１０８を備えた構成になっている。
【０００５】
次に図１２及び１３より従来の冷凍サイクルの構成について概略を説明する。圧縮機１０９から吐出された高温のガス冷媒はコンデンサ１１０を通る過程で中温の液冷媒となり、キャピラリーチューブ１１１により低温の液冷媒となる。蒸発器１０４に低温液冷媒が通る過程で蒸発が起き低温のガス冷媒となり圧縮機１０９へ戻る閉ループとなっている。蒸発器１０４は低温であるため貯蔵室庫内１１２の空気と熱交換する際に蒸発器１０４表面へ霜として形成されていく。圧縮機１０９の運転時間が経過するにつれ霜は蓄積されるため、適宜蒸発器１０４表面の霜を取り除くため熱源手段１０５が加熱され、霜を除霜し除霜水は水通路１０６を経て蒸発皿１０３に供給される。冷凍サイクル収納部１０２にある発熱部品である圧縮機１０９、コンデンサ１１０をファン装置１０７により外気から吸い込む空気により冷却及び放熱させ、そこで発生した温風をダクト１０８から蒸発皿１０３の開口部へ送られ蒸発皿１０３の中の水温を上昇させ蒸発させる方式になっている。
【特許文献１】特開平８−２４７６２６号公報
【発明の開示】
【発明が解決しようとする課題】
【０００６】
この種の蒸発方式の場合、水を蒸発させる因子としては大きく次の３項目がある。第一として水面風速、第二として水温、第三として水と外気が接触する開口部面積である。しかしながら、上記従来の構成では、蒸発皿１０３表面を通過する風速が弱く水の蒸発促進が非効率であり、また熱源が最下部に配設されていないため熱源から最下部までのダクト１０８の風路中の熱ロスが大きく水温の上昇には非効率であるため蒸発皿１０３の開口面積を大きくする必要があり、貯蔵室の容積効率を上げることが出来ないという課題を有していた。水を蒸発させるためには水温を上昇させる加熱手段だけでは相当の大容量となる発熱源が必要となり省エネ、省スペースの観点から考えて非常に非効率であるため、消費者がメンテナンスフリーで除霜水を蒸発させるためには、水温を上昇させる加熱手段と水面の飽和蒸気圧を低減するある一定以上の風速が必要である。
【０００７】
本発明は、上記従来の課題を解決するもので、水を蒸発させる因子として第一の因子である水面の風速を大幅に向上させ、第二の因子である水温を加熱手段により上昇させることにより大幅に蒸発性能を向上させることが出来るため、蒸発皿の開口面積を小さくしコンパクト化することにより貯蔵室の容積効率を大幅に上げることが出来るため消費者の食品の収納効率を大幅に改善出来、さらにその使い勝手や収納性の向上させた冷蔵庫を提供することを目的とする。
【課題を解決するための手段】
【０００８】
上記従来の課題を解決するために、冷蔵庫本体下部に除霜水蒸発装置を設け、前記除霜水蒸発装置の上方に蒸発器と前記蒸発器の除霜水を導く排水経路とを設け、前記除霜水蒸発装置は除霜水を集水する蒸発皿と、前記蒸発皿の上面を覆う蓋部材と、前記蓋部材に第一開口部と第二開口部とを設け、前記第一開口部に送風手段を備えるとともに、前記蒸発皿内に除霜水を加熱するための加熱手段を設け、前記第一開口部と第二開口部の間で風路を構成し、強制的に対流させつつ水温を前記加熱手段により上昇させるものである。
【０００９】
これによって、除霜水を蒸発させるための単独風路構成が可能であり、水温上昇させるため熱源から除霜水への熱交換ロスを最小化出来るため水面の風速を大幅に向上させ、水温を効率良く上昇させることにより蒸発性能を向上させることが出来るため、除霜水蒸発装置を大幅にコンパクトと簡素化することが出来る。
【発明の効果】
【００１０】
本発明は、上記従来の課題を解決するもので、除霜水を蒸発させるための単独風路構成が可能であり、水温上昇させるため熱源から除霜水への熱交換ロスを最小化出来るため、除霜水蒸発装置を大幅にコンパクトと簡素化することが出来、貯蔵室の容積効率を大幅に上げることが出来、消費者の食品の収納効率を大幅に改善出来、さらにその使い勝手や収納性の向上させた冷蔵庫を提供することが出来る。
【発明を実施するための最良の形態】
【００１１】
請求項１に記載の発明は、冷蔵庫本体下部に除霜水蒸発装置を設け、前記除霜水蒸発装置の上方に蒸発器と前記蒸発器の除霜水を導く排水経路とを設け、前記除霜水蒸発装置は除霜水を集水する蒸発皿と、前記蒸発皿の上面を覆う蓋部材と、前記蓋部材に第一開口部と第二開口部とを設け、前記第一開口部に送風手段を備えるとともに、前記蒸発皿内に除霜水を加熱するための加熱手段を設け、前記第一開口部と第二開口部の間で風路を構成し、強制的に対流させつつ水温を前記加熱手段により上昇させるものであり、除霜水を蒸発させるための単独風路構成が可能であり、水温上昇させるため熱源から除霜水への熱交換ロスを最小化出来るため、除霜水蒸発装置を大幅にコンパクトと簡素化することが出来、貯蔵室の容積効率を大幅に上げることが出来、消費者の食品の収納効率を大幅に改善出来、さらにその使い勝手や収納性の向上させた冷蔵庫を提供することが出来る。
【００１２】
請求項２に記載の発明は、請求項１に記載の発明において、前記加熱手段は冷却システムの一部を構成する高圧配管を用いた浸漬パイプであり、前記浸漬パイプはＵターン構成とし，前記浸漬パイプ入口部と出口部を揃えて第二開口部より蒸発皿内部へ配設することにより、除霜水を蒸発させるための単独風路構成が可能であり、水温上昇させるため熱源である浸漬パイプから除霜水への熱交換ロスを最小化出来、さらに配管取り出し部のシール性確保や水漏れを配慮する必要がないため、除霜水蒸発装置を大幅にコンパクト化と簡素化及び安価で構成することが出来、貯蔵室の容積効率を大幅に上げることが出来、消費者の食品の収納効率を大幅に改善出来、さらにその使い勝手や収納性の向上させた安価な冷蔵庫を提供出来る。
【００１３】
請求項３に記載の発明は、請求項２に記載の発明において、浸漬パイプを蒸発皿の底面近傍に配置する構成としたものであり、これによって、少量の除霜水でも水温上昇効果を最大発揮させるとともに、風路の空気の抵抗にならないため、除霜水蒸発装置をさらにコンパクト化と簡素化することが出来、貯蔵室の容積効率を大幅に上げることが出来、消費者の食品の収納効率を大幅に改善出来、さらにその使い勝手や収納性の向上させた安価な冷蔵庫を提供出来る。
【００１４】
請求項４に記載の発明は、請求項２または３に記載の発明において、浸漬パイプは蒸発皿の底面に形成された保持部で固定する構成としたものであり、これによって、狭い薄型箱形状の蒸発皿にパイプを組込み易くかつ除霜水との接触面積が最も広い底面に配管の熱を伝導促進することで少量の除霜水でも水温上昇効果を最大発揮させるとともに、風路の空気の抵抗にならないため、除霜水蒸発装置をさらにコンパクト化と簡素化することが出来、貯蔵室の容積効率を大幅に上げることが出来、消費者の食品の収納効率を大幅に改善出来、さらにその使い勝手や収納性の向上させた安価な冷蔵庫を提供出来る。
【００１５】
請求項５に記載の発明は、請求項２から４のいずれか一項に記載の発明において、浸漬パイプを螺旋形状とするものであり、これによって、配管当たりや最小曲げＲを確保して最大長さを確保し高密度化が出来、除霜水蒸発装置をさらにコンパクト化が出来、消費者の食品の収納効率を改善出来、さらにその使い勝手や収納性の向上させた安価な冷蔵庫を提供出来る。
【００１６】
請求項６に記載の発明は、請求項２から５のいずれか一項に記載の発明において、浸漬パイプは圧縮機吐出近傍配管を除いた配管を用いる構成とし、これによって、圧縮機吐出温度の上昇により、パイプを底面近傍設置や、底面保持など行うことによる蒸発皿に穴開きや水漏れ等の危険性がなく、さらには蒸発皿の材質の選択肢が広がり安価な材料で蒸発皿と保持機構を設計出来るため消費者へさらに安価な冷蔵庫を提供できる。
【００１７】
以下、本発明の実施の形態について、図面を参照しながら説明する。なお、この実施の形態によって、この発明が限定されるものではない。
【００１８】
（実施の形態１）
図１は、本発明の実施の形態１における冷蔵庫の中央断面図である。図２は、本発明の実施の形態１における冷蔵庫の除霜水蒸発装置の斜視図である。
【００１９】
図１において、冷蔵庫本体１０１の下方へ除霜水蒸発装置１１３を配置している。除霜水蒸発装置１１３の上方位置へ蒸発器１０４と蒸発器１０４の除霜水１１４を庫外へ導く排水経路１０６が構成され、蒸発器１０４で発生する除霜水１１４を除霜水蒸発装置１１３へ導く構成となっている。
【００２０】
図２に示す通り、除霜水蒸発装置１１３は、除霜水１１４を受ける蒸発皿１０３と、蒸発皿１０３は上面を密閉化する蓋部材２０１と、蒸発皿１０３の上部に、蓋部材２０１で構成される第一開口部２０２と、第二開口部２０３とを設け、第一開口部２０２の上部に送風手段２０４を構成する。なお蓋部材２０１は蒸発皿１０３と同一部品とすることも可能であり、例えば蓋部材２０１と蒸発皿１０３を同一金型としヒンジ機構とすることで蓋部材２０１と蒸発皿１０３とのシール性が向上し部品点数を削減することが出来る。この蓋部材２０１により、第一開口部２０２と第二開口部２０３の内部空間に風路２０５を形成し、風路２０５の矢印の方向に空気を強制対流させ、第二開口部２０３へ熱源手段１０５である冷却システムの一部となる高圧高温配管である浸漬パイプ２０６を設け、浸漬パイプ２０６はＵターン形状とし、浸漬パイプ２０６の入口パイプ２０７と出口パイプ２０８を揃えて取り出し本体接続する構成とする。
【００２１】
次に除霜水蒸発装置１１３の蒸発作用について説明する。冷凍サイクルについては従来と同一構成に付き詳細説明を省略するが、蒸発器１０４は低温であるため貯蔵室庫内１１２の空気と熱交換する際に蒸発器１０４表面へ霜として形成されていく。
【００２２】
圧縮機１０９の運転時間が経過するにつれ霜は蓄積されるため、適宜蒸発器１０４表面の霜を取り除くため熱源手段１１５が加熱され、霜を除霜し除霜水１１４は排水経路１０６を経て除霜水蒸発装置１１３に供給される。除霜水１１４は熱源である浸漬パイプ２０６により加熱され水温が上昇する。温められた除霜水１１４が蒸発促進されるように、この除霜水１１４の上部の空気層に飽和水蒸気圧の低いフレッシュな空気を送風手段２０４により供給する。
【００２３】
送風手段２０４の駆動方法は例えば圧縮機１０９と同期運転とすることにより、浸漬パイプ２０６の熱源を有効活用できる。蒸発皿１０３の上部を密閉化することにより送風手段２０４により吸い込み吐出された空気は除霜水１１４の水面上を通る風路２０５を経て第二開口部２０３へ多湿空気を排出する。浸漬パイプ２０６の入口パイプ２０７と出口パイプ２０８を揃えて取り出す構成としたため、蒸発皿１０３の上部密閉化構成が容易になり、配管取り出し部のシール性を考える必要が無く、工場での組み立て性も向上する。したがって、第一開口部２０２と第二開口部２０３を通る単独の風路２０５となり、従来と比較し大幅な風速アップとなる。この風速アップにより除霜水１０４の蒸発性能は大幅に向上する。また、熱源は冷却システムの一部高圧配管である浸漬パイプ２０６で構成しているため、熱交換ロスを最小化出来、ヒータ等の熱源を用いる場合と比較しても非常に安価に構成可能であり、消費電力の観点でも省エネとなる。
【００２４】
以上のように、本実施の形態においては、冷蔵庫本体下部に除霜水蒸発装置を設け、除霜水蒸発装置の上方に蒸発器と、蒸発器の除霜水を導く排水経路とを設け、除霜水蒸発装置は除霜水を集水する蒸発皿と、蒸発皿を密閉化する蓋部材と、蓋部材で構成される第一開口部と、第二開口部とを設け、第一開口部に送風手段と、蒸発皿内に、除霜水加熱手段を設け、第一開口部と第二開口部の間で風路を構成し、強制的に対流させつつ水温を温度により上昇させ、除霜水加熱手段は、冷却システムの一部を構成する高圧配管を用いた浸漬パイプであり、浸漬パイプはＵターン構成とし、浸漬パイプ入口部と出口部を揃えて第二開口部より蒸発皿内部へ配設することにより、除霜水を蒸発させるための単独風路構成が可能であり、水温上昇させるため熱源である浸漬パイプから除霜水への熱交換ロスを最小化出来、さらに配管取り出し部のシール性確保や水漏れを配慮する必要がないため、除霜水蒸発装置を大幅にコンパクトと簡素化することが出来、貯蔵室の容積効率を大幅に上げることが出来、消費者の食品の収納効率を大幅に改善出来、使い勝手や収納性の向上させた安価な冷蔵庫を提供出来る。
【００２５】
なお、本実施例においては、加熱手段を冷却システムの一部となる高圧高温配管の浸漬パイプ２０６としたが、浸漬パイプ２０６より放熱量の高い電気的なヒータで構成すると除霜水蒸発装置はさらにコンパクト化は可能であり、貯蔵室の容積効率を大幅に上げることが出来、消費者の食品の収納効率を大幅に改善出来、使い勝手や収納性の向上させた冷蔵庫を提供出来る。
【００２６】
（実施の形態２）
図３は、本発明の実施の形態２における冷蔵庫の除霜水蒸発装置の斜視図である。
【００２７】
実施の形態１と異なる点は、図３の除霜水蒸発装置３０１の浸漬パイプ２０６を蒸発皿１０３の底面近傍に配置する構成とする。これによって、少量の除霜水１１４でも水温上昇効果を最大発揮させるとともに、風路２０５の空気の抵抗にならない構成に出来る。
【００２８】
以上のように、本実施の形態においては、浸漬パイプを蒸発皿の底面近傍に配置する構成とし、これによって、少量の除霜水でも水温上昇効果を最大発揮させるとともに、風路の空気の抵抗にならないため、除霜水蒸発装置をさらにコンパクト化と簡素化することが出来、消費者の食品の収納効率を改善出来、使い勝手や収納性の向上させた安価な冷蔵庫を提供出来る。
【００２９】
（実施の形態３）
図４は、本発明の実施の形態３における冷蔵庫の除霜水蒸発装置の斜視図である。
【００３０】
実施の形態１と異なる点は、図４の除霜水蒸発装置４０１の蒸発皿４０２の底面に形成された保持部４０３で浸漬パイプ２０６を固定する構成とすることにより、狭い薄型箱形状の蒸発皿４０２に浸漬パイプ２０６を組込み易くかつ除霜水１１４との接触面積が最も広い底面に配管の熱を伝導促進することで少量の除霜水でも水温上昇効果を最大発揮させるとともに、風路の空気の抵抗にならない構成とすることが出来る。
【００３１】
以上のように、本実施の形態においては、浸漬パイプは蒸発皿の底面に形成された保持部で固定する構成とし、これによって、狭い薄型箱形状の蒸発皿にパイプを組込み易くかつ除霜水との接触面積が最も広い底面に配管の熱を伝導促進することで少量の除霜水でも水温上昇効果を最大発揮させるとともに、風路の空気の抵抗にならないため、除霜水蒸発装置をさらにコンパクト化と簡素化することが出来、消費者の食品の収納効率を改善出来、使い勝手や収納性の向上させた安価な冷蔵庫を提供出来る。
【００３２】
（実施の形態４）
図５は、本発明の実施の形態４における冷蔵庫の除霜水蒸発装置の斜視図である。
【００３３】
実施の形態１と異なる点は、図５の除霜水蒸発装置５０１の浸漬パイプ５０２を螺旋形状とする構成とし、これによって、配管当たりや最小曲げＲを確保して最大長さを確保し高密度化が出来る。
【００３４】
以上のように、本実施の形態において、浸漬パイプを螺旋形状とする構成とし、これによって、配管当たりや最小曲げＲを確保して最大長さを確保し高密度化が出来、除霜水蒸発装置をさらにコンパクト化が出来、消費者の食品の収納効率を改善出来、使い勝手や収納性の向上させた安価な冷蔵庫を提供出来る。
【００３５】
（実施の形態５）
図６（ａ）は、本発明の実施の形態５における冷蔵庫の斜視図、図６（ｂ）は、本発明の実施の形態５における冷蔵庫の浸漬パイプの構成説明図である。図７は、本発明の実施の形態５における冷凍サイクルモリエル線図のイメージを示す図である。
【００３６】
実施の形態１と異なる点は、図６の浸漬パイプ５０２は圧縮機吐出近傍配管６０１を直接用いず、これを除いた配管を用いる構成とする。例えば、冷蔵庫本体１０１の上部圧縮機１０９を構成し、圧縮機１０９とは冷蔵庫本体１０１に取り付けられている凝縮器パイプ６０２に接続され、冷蔵庫本体１０１下部で浸漬パイプ５０２と接続する。これによって、圧縮機１０９から吐出された高温高圧のガス冷媒は冷蔵庫本体１０１に構成される凝縮パイプ６０２を通る過程で外気と凝縮作用が起こり浸漬パイプ５０２に入って行くときには凝縮温度相当（最大でも約６０度程度）に液とガスの２相化される。図７の冷凍サイクルモリエル線図のイメージを示す図と合わせて説明する。圧縮機１０９から高温高圧のガス冷媒はポイントａ（ｔｄ、例えば１００度以上となる場合もある）、凝縮器パイプ５０２の出口すなわち浸漬パイプ５０２との接合部では凝縮温度相当ポイントｂ（ｔｃ、最大でも６０度程度）からｃの間でありモリエル線図からも分かるように冷媒ガス温度は高圧でも一定温度領域内である。したがってパイプを底面近傍設置や、底面保持など行うことで、蒸発皿に穴が開き水漏れ等の危険性が無くなる。圧縮機１０９配設及び凝縮パイプ６０２配設は、本図の図６に示されている配置に限定されるものではない。
【００３７】
以上のように、本実施の形態において、浸漬パイプは圧縮機吐出近傍配管を直接用いず、これを除いた配管を用いる構成とし、これによって、圧縮機吐出温度の上昇により、パイプを底面近傍設置や、底面保持など行うことで、蒸発皿に穴が開き水漏れ等の危険性がなく、さらには蒸発皿の材質の選択肢が広がり安価な材料で蒸発皿と保持機構を設計出来るため消費者へ安価な冷蔵庫を提供できる。
【００３８】
（実施の形態６）
図８は、本発明の実施の形態６における冷蔵庫の除霜水蒸発装置の斜視図である。図９は、図８の除霜水蒸発装置のｙ−ｚ中央断面図である。図１０は、図８の除霜水蒸発装置のｘ−ｚ中央断面図である。図１１は、本発明の実施の形態６における冷蔵庫の除霜水蒸発装置の組み立て構成図である。図８から図１１を用いて説明する。
【００３９】
図８から図１１に示す通り冷蔵庫本体１０１の下部に除霜水蒸発装置８０１を設け、除霜水蒸発装置８０１の上方に蒸発器１０３と、蒸発器１０３の除霜水１１４を導く排水経路１０６とを設け、除霜水蒸発装置８０１は除霜水１１４を集水する蒸発皿４０２と、蒸発皿４０２を密閉化する蓋部材２０１と、蓋部材２０１で構成される第一開口部２０２と、第二開口部２０３とを設け、第一開口部２０１に送風手段２０４と、蒸発皿４０２内の第二開口部２０３へ熱源手段である冷却システムの一部となる高圧高温配管である浸漬パイプ５０２を設け、浸漬パイプ５０２はＵターン形状とし、第一開口部２０２と第二開口部２０３の間で風路２０５を構成する。除霜水蒸発装置８０１へは背面カバー９０８を構成する。次に除霜水蒸発装置８０１の蒸発作用について説明する。
【００４０】
冷凍サイクルについては従来と同一構成に付き詳細説明を省略するが、蒸発器１０４は低温であるため貯蔵室庫内１１２の空気と熱交換する際に蒸発器１０４表面へ霜として形成されていく。圧縮機１０９の運転時間が経過するにつれ霜は蓄積されるため、適宜蒸発器１０４表面の霜を取り除くため熱源手段１１５が加熱され、霜を除霜し除霜水１１４は排水経路１０６を経て除霜水蒸発装置８０１に供給される。除霜水１１４は熱源である浸漬パイプ５０２により加熱され水温が上昇する。温められた除霜水１１４が蒸発促進されるように、この除霜水１１４の上部の空気層に飽和水蒸気圧の低いフレッシュな空気を送風手段２０４により供給する。送風手段２０４の駆動方法は例えば圧縮機１０９と同期運転とすることにより、浸漬パイプ５０２の熱源を有効活用できる。
【００４１】
送風手段２０４は図８に示す通りボックス形状（例えば８０ｍｍ角）のファンを用いることにより除霜水蒸発装置８０１をコンパクト化出来、サービス性を考慮するため冷蔵庫本体１０１背面下部から見て手前へ脱着可能な蓋部材２０１の形状とし、図９に示す通り送風手段２０４は斜めに蓋部材２０１へ構成することにより蒸発皿４０２内の風速を向上させることが出来る。蒸発皿１０３の上部を蓋部材２０１により密閉化することにより、送風手段２０４により吸い込み吐出された空気は除霜水１１４の水面上を通る風路２０５を経て第二開口部２０３へ多湿空気を排出する。浸漬パイプ５０２の入口パイプ２０７と出口パイプ２０８を揃えて取り出す構成としたため、蒸発皿１０３の上部密閉化構成が容易になり、配管取り出し部のシール性を考える必要が無く、工場での組み立て性も向上する。
【００４２】
したがって、第一開口部２０２と第二開口部２０３を通る単独の風路２０５となり、従来と比較し大幅な風速アップとなる。この風速アップにより除霜水１０４の蒸発性能は大幅に向上する。除霜水蒸発装置８０１の奥行きは図９に示す通り冷却室９０１の奥行きとほぼ同一寸法とする。このことにより貯蔵室１１２の容量は最大化出来るとともにケース９０２も収納性のよい略立方体構成とすることが出来る。除霜水蒸発装置８０１の蓋部材２０１は図８に示す通り送風手段２０４の電源線接合部９０３を収納出来るように構成する。
【００４３】
このことにより最悪蒸発皿４０２から水漏れした場合でも電源線接合部９０３への水かかり防止が出来る。図８から図１１に示す通り蓋部材２０１へは排水経路１０６から通ってくる除霜水１１４を集水する排水口９０４を設ける。排水口９０４の形状はすり鉢状に窪ませることにより風路２０５のショートサーキットを最小化に出来、排水口９０４の開口面積を最小化に設計出来、蒸発性能劣化を最小限度に設計できる。また、排水経路１０６を冷蔵庫本体１０１のほぼ中央へ配置する構成にすることで図１０に示す排水経路の傾斜９０５を最小化設計が可能となるため無効空間の削減に繋がる。また、蓋部材２０１へ吸い込み風路と吐出風路を仕切る仕切り部９０６を設けることで風路２０５の風速は大幅に向上させることが出来る。図１１に示す通り、蓋部材２０１と蒸発皿４０２の固定は爪９０７にて固定する。
【００４４】
このことにより蒸発皿４０２を樹脂材料で成型した場合、成型ばらつきにより変形が発生しても爪９０７で固定することにより矯正させ固定することが出来るため蒸発皿４０２の成型ばらつきによる変形等による風路損失は無い。図８に示す通り除霜水蒸発装置８０１へは背面カバー９０８は、冷蔵庫本体１０１背面斜め部９０９へ吸込み穴９１０と吐出穴９１１を構成し外気と空気の吸い込みと吐出を行う。背面斜め部９０９へ吸込み穴９１０と吐出穴９１１を構成することで冷蔵庫本体１０１が家の壁へピッタリと設置されても風路を確保することが出来る。
【００４５】
また、冷蔵庫の設置環境や経年的に使用されるとこの背面カバー９０８の吸込み穴９１０へは埃により閉塞する可能性が高い。そのため載せ台９１２と冷蔵庫本体１０１の底面との間に隙間部９１３を設けることにより背面カバー９０８の吸込み穴９１０が閉塞してもフレッシュな外気の風路を確保することが出来、埃等による信頼性が大幅に向上させることが出来る。隙間部９１３は冷蔵庫幅方向に仕切り部９０６までとしている。蒸発皿４０２へは切り欠き部９１４を設け、蒸発皿貯水可能域の上限水位はこの切り欠き部９１４の下端とすることで最悪蒸発皿４０２から水が漏れた場合、まず載せ台９１２の窪みで水を受ける構成とすることですぐには床へ水が漏れない構成としている。また、蒸発皿４０２にはサービス用排水口９１５を送風手段２０４を構成する逆側の第二開口部２０３の上部（床から５０ｍｍ以上）へ構成し、蒸発皿４０２の底部９１６はこのサービス用排水口９１５へ傾斜させているためサービス用排水口９１５側へ水が集まる仕組みとなっている。
【００４６】
したがって、冷蔵庫移設時等に冷蔵庫本体１０１を傾け蒸発皿４０２から水を排水口９１５を通って水を集水する時に排水口９１５が床から５０ｍｍ以上あるため下方へ受け皿を置き集水が可能であり、さらには蒸発皿４０２の底部９１６（図１１）が傾斜しているためサービス用排水口９１５側へ水が集まり、サービス用排水口９１５から水が容易に集水可能な様に、サービスの観点でも配慮した構成となっている。
【００４７】
図１１に示す通り、次に浸漬パイプ５０２は、螺旋形状とすることで配管当たりや最小曲げＲを確保して最大長さを確保し高密度化出来、ストレート配管と比べ水との熱交換性も向上する。浸漬パイプ５０２の螺旋円の直径ｄは蒸発皿４０２の高さｈの１／２以下とすることで、除霜水１１４が少量であっても水温上昇効果を最大発揮させるとともに、風路２０５の空気の抵抗にならない構成としている。また、熱源は冷却システムの一部高圧配管である浸漬パイプ５０２で構成しているため、熱交換ロスを最小化出来、ヒータ等の熱源を用いる場合と比較しても非常に安価に構成可能であり、消費電力の観点でも省エネとなる。浸漬パイプ５０２は蒸発皿４０２へ固定用の爪９１７を設けることにより、狭い薄型箱形状の蒸発皿４０２に浸漬パイプ５０２を組込み易くかつ除霜水１１４との接触面積が最も広い底面に配管の熱を伝導促進することで少量の除霜水１１４でも水温上昇効果を最大発揮させ蒸発能力を向上させている。
【００４８】
図８に示す通り、浸漬パイプ５０２と凝縮器パイプ９１８の接合は、接合箇所を集約させているため工場での作業効率も向上する。次に、除霜水蒸発装置８０１の組み立て構成は図１１に示すように、まず浸漬パイプ５０２を蒸発皿４０２の固定用の爪９１７へ嵌め込み、次に蓋部材２０１を蒸発皿４０２へ構成する爪９０７へ嵌め込み、次に送風手段２０４を第一開口部２０２へ嵌め込み、除霜水蒸発装置８０１が組み立てられる。次に載せ台９１２の窪み部へ除霜水蒸発装置８０１を嵌め込み、冷蔵庫本体１０１の下部から取り付ける構成としている。この構成とすることにより、除霜水蒸発装置８０１を冷蔵庫本体１０１への取り付けを簡素化出来るため、工場での作業効率が向上する。
【００４９】
以上のように、本実施の形態において、冷蔵庫本体下部に除霜水蒸発装置を設け、除霜水蒸発装置の上方に蒸発器と、蒸発器の除霜水を導く排水経路とを設け、除霜水蒸発装置は除霜水を集水する蒸発皿と、蒸発皿を密閉化する蓋部材と、蓋部材で構成される第一開口部と、第二開口部とを設け、第一開口部に送風手段と、蒸発皿内に、除霜水加熱手段を設け、第一開口部と第二開口部の間で風路を構成し、強制的に対流させつつ水温を温度により上昇させ、除霜水加熱手段は、冷却システムの一部を構成する高圧配管を用いた浸漬パイプであり、浸漬パイプはＵターン構成とし、浸漬パイプ入口部と出口部を揃えて第二開口部より蒸発皿内部へ配設することにより、除霜水を蒸発させるための単独風路構成が可能であり、水温上昇させるため熱源である浸漬パイプから除霜水への熱交換ロスを最小化出来、さらに配管取り出し部のシール性確保や水漏れを配慮する必要がないため、除霜水蒸発装置を大幅にコンパクトと簡素化することが出来、貯蔵室の容積効率を大幅に上げることが出来、消費者の食品の収納効率を大幅に改善出来、使い勝手や収納性の向上させた安価な冷蔵庫を提供出来る。
【産業上の利用可能性】
【００５０】
以上のように、本発明にかかる冷蔵庫の除霜水蒸発装置は、除霜水を蒸発させるための単独風路構成が可能であり、水温上昇させるため熱源である浸漬パイプから除霜水への熱交換ロスを最小化出来、さらに配管取り出し部のシール性確保や水漏れを配慮する必要がないため、除霜水蒸発装置を大幅にコンパクトと簡素化することが出来るため、冷蔵庫だけでなく除湿機、空調機、自動販売機など多種に渡る冷凍装置または除霜水の蒸発が必要な分野へ適用出来る。
【図面の簡単な説明】
【００５１】
【図１】本発明の実施の形態１における冷蔵庫の中央断面図
【図２】本発明の実施の形態１における冷蔵庫の除霜水蒸発装置の斜視図
【図３】本発明の実施の形態２における冷蔵庫の除霜水蒸発装置の斜視図
【図４】本発明の実施の形態３における冷蔵庫の除霜水蒸発装置の斜視図
【図５】本発明の実施の形態４における冷蔵庫の除霜水蒸発装置の斜視図
【図６】（ａ）本発明の実施の形態５における冷蔵庫の斜視図（ｂ）本発明の実施の形態５における冷蔵庫の浸漬パイプの構成説明図
【図７】本発明の実施の形態５における冷凍サイクルモリエル線図のイメージを示す図
【図８】本発明の実施の形態６における冷蔵庫の除霜水蒸発装置の斜視図
【図９】図８の冷蔵庫の除霜水蒸発装置のｙ−ｚ中央断面図
【図１０】図８の冷蔵庫の除霜水蒸発装置のｘ−ｚ中央断面図
【図１１】本発明の実施の形態６における冷蔵庫の除霜水蒸発装置の組み立て構成図
【図１２】従来の冷蔵庫の断面図
【図１３】従来の冷蔵庫の冷凍サイクル説明図
【符号の説明】
【００５２】
１０１  冷蔵庫本体
１０３  蒸発皿
１０４  蒸発器
１０５  除霜水加熱手段
１０６  排水経路
１１３  除霜水蒸発装置
１１４  除霜水
２０１  蓋部材
２０２  第一開口部
２０３  第二開口部
２０４  送風手段
２０５  風路
２０６  浸漬パイプ
２０７  入口パイプ
２０８  出口パイプ
３０１  除霜水蒸発装置
４０１  除霜水蒸発装置
４０２  蒸発皿
４０３  保持部
５０１  除霜水蒸発装置
５０２  浸漬パイプ
６０１  圧縮機吐出近傍配管
【図１】
2007309616.tif 000003
【図２】
2007309616.tif 000004
【図３】
2007309616.tif 000005
【図４】
2007309616.tif 000006
【図５】
2007309616.tif 000007
【図６】
2007309616.tif 000008
【図７】
2007309616.tif 000009
【図８】
2007309616.tif 000010
【図９】
2007309616.tif 000011
【図１０】
2007309616.tif 000012
【図１１】
2007309616.tif 000013
【図１２】
2007309616.tif 000014
【図１３】
2007309616.tif 000015